(57)【要約】【課題】本発明における課題は、整髪や頭髪の乾燥作業中に、使用者が手間をかけずに、頭部を撮影可能とするヘアドライヤを提供することである。【解決手段】本発明にかかるヘアドライヤは、画像を撮像するカメラを備えることを特徴としている。これに加えて、さらに、本発明にかかるヘアドライヤは、空気吐出口を備えることを特徴としている。これら、カメラ、および、空気吐出口を備えるといった特徴を備えることにより、本発明は、上記したような課題を解決することのできるヘアドライヤを提供することが可能となる。【選択図】図１
2015167704.tif 000002
【特許請求の範囲】
【請求項１】
画像を撮像するカメラと、
空気吐出口と、を備えるヘアドライヤ。
【請求項２】
可視光を照射する照明を備える請求項１のヘアドライヤ。
【請求項３】
前記カメラの撮像位置に前記空気吐出口からの空気が吐出される、請求項１又は２のヘアドライヤ。
【請求項４】
第１偏光光学部材が前記カメラに配され、
前記第１偏光光学部材と偏光軸方向の異なる第２偏光光学部材が前記照明に配される、請求項２又は３のヘアドライヤ。
【請求項５】
前記第１偏光光学部材と前記第２偏光光学部材の偏光軸方向が９０度異なる、請求項４のヘアドライヤ。
【請求項６】
前記カメラの光軸と前記空気吐出口からの空気の吐出方向とが一致する、請求項１〜５いずれかのヘアドライヤ。
【請求項７】
前記カメラを覆う断熱材を更に有する、請求項６のヘアドライヤ。
【請求項８】
前記照明は、前記空気吐出口の縁部に環状に設けられる、請求項７のヘアドライヤ。
【請求項９】
前記カメラは着脱可能である、請求項１〜５いずれかのヘアドライヤ。
【請求項１０】
前記カメラで取得した画像情報を保存するための記録媒体を更に有する、
請求項１〜９いずれかのヘアドライヤ。
【請求項１１】
前記カメラで取得した画像情報を外部機器に送信する無線機器を更に有する、請求項１〜１０いずれかのヘアドライヤ。
【請求項１２】
ヘアドライヤに備わるカメラで頭部の撮像を行い、撮像した画像情報を記録する、頭部画像取得方法。
【請求項１３】
撮像した画像情報を外部機器に送信する、請求項１２の頭部画像取得方法。
【発明の詳細な説明】
【技術分野】
【０００１】
本発明は、ヘアドライヤおよび頭部画像取得方法に関する。
【背景技術】
【０００２】
近年、脱毛や薄毛などに悩む人々を主として、頭髪や頭皮などの頭部状態の評価への関心が高まっている。ヘアドライヤを用いた整髪や洗髪後の乾燥は、鏡に使用者を映して、その像を見ながら行われることが多い。このときに、あわせて頭部状態を観察できると、手間がかからない。しかしその場合、ヘアドライヤを使用しながら、使用者自身の側頭部から後頭部、頭頂部にかけての頭皮や頭髪の状態を観察することは困難である。そのため、特許文献１のような、図９における化粧鏡１００と副鏡１０１を合わせ鏡として、頭皮や頭髪の状態を確認しながら使えるドライヤ１０２が知られる。
【先行技術文献】
【特許文献】
【０００３】
【特許文献１】特開２００８−６１６５６号公報
【発明の概要】
【発明が解決しようとする課題】
【０００４】
しかしながら、特許文献１の技術では、頭部状態の観察は、使用者の目視によるものであため、頭部を撮影することができない。
【０００５】
本発明は、前記従来の課題を解決するもので、頭部を撮影できるヘアドライヤを提供することを目的とする。
【課題を解決するための手段】
【０００６】
上記目的を達成するために、本ヘアドライヤは、画像を撮像するカメラと空気吐出口とを有することを特徴とする。
【０００７】
また、本画像取得方法は、ヘアドライヤに備わるカメラで頭部の撮像を行い、撮像した画像情報を記録することを特徴とする。
【発明の効果】
【０００８】
以上のように、本ヘアドライヤによれば、頭髪の乾燥作業や整髪中に手間をかけずに頭部を撮影できる。
【図面の簡単な説明】
【０００９】
【図１】実施の形態１におけるヘアドライヤの斜視図
【図２】実施の形態１におけるヘアドライヤの断面図と、ヘアドライヤの使用者との位置関係を示した図
【図３】実施の形態１におけるヘアドライヤの断面図と、ヘアドライヤの使用者との位置関係を示した図
【図４】実施の形態２におけるヘアドライヤの斜視図
【図５】実施の形態２におけるヘアドライヤの断面図と、ヘアドライヤの使用者との位置関係を示した図
【図６】実施の形態２におけるヘアドライヤの変形例の斜視図
【図７】実施の形態２におけるヘアドライヤの変形例の断面図と、ヘアドライヤの使用者との位置関係を示した図
【図８】（ａ）〜（ｅ）本ヘアドライヤのカメラで取得した画像情報の処理や保存の流れを示す図
【図９】特許文献１に記載された従来のヘアドライヤの構成を示す図
【発明を実施するための形態】
【００１０】
以下実施の形態について、図面を参照しながら説明する。
【００１１】
（実施の形態１）
図１は、実施の形態１におけるヘアドライヤ１の斜視図である。以下、同じ構成については同じ符号を用い、適宜説明を省略する。
【００１２】
図１において、ヘアドライヤ１は、空気吐出口２、カメラユニット３、照明ユニット４、ドライヤスイッチ５、カメラスイッチ６、空気吸入口１１、筐体３０を備える。
【００１３】
図２はヘアドライヤ１の断面図と、ヘアドライヤ１と使用者８とのヘアドライヤ使用時における位置関係を示した図である。ドライヤスイッチ５が押されると、送風ユニット１０が作動し、空気吸入口１１より吸入された空気が筐体３０内の空気流路１４を通過してヒータ７により加熱され、その後、空気吐出口２より吐出される。吐出された空気は、空気の流れ１３に示すような経路で、使用者８の頭部注目部位９へ向かって吹き付けられる。筐体３０の上部にはカメラ３ａと、偏光フィルタ３ｂとを備えるカメラユニット３が取り付けられている。カメラ３ａの光軸は撮影方向１２に向けられており、偏光フィルタ３ｂを介して頭部注目部位９の画像を撮像する。
【００１４】
このように、カメラ３ａを備えることで、ヘアドライヤ１の使用中に、手間をかけることなく、頭部を撮影することができる。なお、カメラ３ａは、可視光に感度を有するものである。また、カメラ３ａにＩＲカットフィルターを設けて赤外光をカットしても良い。
【００１５】
また、空気吐出口２より吐出された風を頭部注目部位９に当てることで、その風により毛髪が適度に掻き分けられて、生え際や頭皮を露出させることができる。このため、カメラ３ａによる撮像位置（頭部注目部位９）に空気吐出口２より吐出された風を当てることで、頭髪のみならず、生え際や頭皮を容易に撮影することができる。脱毛や薄毛の影響は、主に生え際や頭皮に現れるため、これらの状態を記録することで、より効果的な脱毛対策、または薄毛対策を講じることができる。
【００１６】
カメラ３ａで撮像した画像情報は、情報記録媒体１８で記録される。
【００１７】
ここで、図３は図２のカメラユニット３付近を照明ユニット４付近の断面図に一部置き換えたものである。図３において、照明ユニット４は筐体３０の上部であって、カメラ３ａの近傍に取り付けられている。照明ユニット４は、照明光源４ａと、偏光フィルタ４ｂと、集光レンズ４ｃとを備える。照明光源４ａからの光は、偏光フィルタ４ｂを通過した後に集光レンズ４ｃにて集光されて、照明光照射方向１５の方向を照明する。特に、照明ユニット４から発せられる光は、頭部注目部位９を良好に照明するように調整されている。照明ユニット４を設けることで、より明瞭な画像を撮影できる。なお、照明ユニット４は、可視光を照射する。
【００１８】
なお、図２、図３で示したように、撮影方向１２と照明光照射方向１５と空気の流れ１３の方向が全て頭部注目部位９へ向けられるように構成することで、頭部情報として、頭髪のみならず生え際や頭皮をより鮮明に撮影することができる。
【００１９】
また、カメラスイッチ６をカメラユニット３と照明ユニット４の動作と連動するようにすれば、より効率的に、頭部情報を撮影できる。
【００２０】
また、照明ユニット４に含まれる偏光フィルタ４ｂ（第２偏光光学部材の一例）の偏光軸方向と、カメラユニット３に含まれる偏光フィルタ３ｂ（第１偏光光学部材の一例）の持つ偏光軸方向が異なるように構成するのが望ましい。照明ユニット４からの照明光が頭部注目部位９の頭髪や頭皮に反射して光る現象（所謂ハイライト）を抑制するためである。ハイライトを抑制することで、頭皮や頭髪を自動で画像認識したり、より精度の高い画像処理結果を得たりすることができる。偏光フィルタ３ｂと偏光フィルタ４ｂの偏光軸方向が直行する（９０度異なる）ように設置することで、ハイライト抑制効果をより高めることができる。また、偏光フィルタ４ｂまたは偏光フィルタ３ｂの少なくとも何れか一方の偏光軸方向を可変機構とすることで、ハイライト抑制効果を有効にしたり無効にしたりできる。
【００２１】
なお、頭部の撮影時にヘアドライヤ１により吹き付ける空気を、ヒータ７で加熱しても良いし、加熱しなくても良い。
【００２２】
次に、カメラユニット３で撮影された画像情報の処理や保存の方法について説明する。
【００２３】
図８は、カメラユニット３で撮影された画像情報の処理や保存の方法の流れを示した図である。ここでは画像情報の処理方法について図８（ａ）から図８（ｅ）まで５種類の例を挙げている。
【００２４】
図８（ａ）では、カメラユニット３で撮像した画像情報を情報記録媒体１８に保存している。情報記録媒体１８は、ヘアドライヤ１に搭載されている。
【００２５】
図８（ｂ）では、カメラユニット３で撮像した画像情報に対して情報処理ユニット１９を用いて画像処理や数値算出の処理を行わせた後、画像情報や処理結果の情報を情報記録媒体１８に保存している。情報記録媒体１８と、情報処理ユニット１９は、ヘアドライヤ１に搭載されている。
【００２６】
図８（ｃ）では、カメラユニット３で撮像した画像情報を、ヘアドライヤ側無線ユニット２０を用いて、ヘアドライヤ側アンテナ２３を介して、外部情報機器２２に無線通信２５により送信する。送信された情報は、外部情報機器側アンテナ２４を経て外部情報機器側無線ユニット２１で受信され、外部情報機器２２に備わる情報記録媒体１８に保存される。ヘアドライヤ側無線ユニット２０（無線機器）とヘアドライヤ側アンテナ２３はヘアドライヤ１に搭載されている。外部情報機器２２（外部機器）は、ヘアドライヤ１に非搭載である。
【００２７】
図８（ｄ）では、カメラユニット３で撮影した画像情報に対して、情報処理ユニット１９を用いて画像処理または数値算出の処理を行う。その後、処理結果の情報を、ヘアドライヤ側無線ユニット２０を用いて、ヘアドライヤ側アンテナ２３を介して、外部情報機器２２に送信する。送信された情報は、無線通信２５によって外部情報機器側アンテナ２４に至り、外部情報機器側無線ユニット２１で受信され、情報記録媒体１８に保存される。情報処理ユニット１９とヘアドライヤ側無線ユニット２０とヘアドライヤ側アンテナ２３はヘアドライヤ１に搭載されている。外部情報機器２２は、ヘアドライヤ１に非搭載である。
【００２８】
図８（ｅ）では、カメラユニット３で撮像された画像情報を、ヘアドライヤ側無線ユニット２０を用いて、ヘアドライヤ側アンテナ２３を介して、無線通信２５によって、外部情報機器２２に送信する。送信された情報は、外部情報機器側アンテナ２４を介して、外部情報機器２２に備わる外部情報機器側無線ユニット２１に受信される。受信された情報は、外部情報機器２２に備わる情報処理ユニット１９によって画像処理または数値算出の処理が行われた後、情報記録媒体１８に保存される。ヘアドライヤ側無線ユニット２０とヘアドライヤ側アンテナ２３はヘアドライヤ１に搭載されている。外部情報機器２２は、ヘアドライヤ１に非搭載である。
【００２９】
以上で挙げた、図８（ａ）から図８（ｅ）までの何れかの手順により、頭部画像や頭部画像を画像処理して得られた情報が保存される。保存することで、頭皮や頭髪等の過去の情報との比較参照が容易になり、例えば、育毛中や発毛中の経過状況を記録できる。すなわち、情報記録媒体１８に過去の情報を記録しておき、予め記録された過去情報を参照可能とすることで、育毛中や発毛中の経過状況を評価することができる。
【００３０】
また、外部情報機器２２を使用者の手元に配置すれば、リアルタイムで頭部画像を参照することもできる。この場合、外部情報機器２２に表示部を設ける。表示部には、予め記録された過去情報や、育毛中や発毛中の経過状況を表示してもよい。外部情報機器２２として、例えば、スマートフォンを採用できる。
【００３１】
なお、記録媒体である情報記録媒体１８はヘアドライヤ１に内蔵させても良いし、ＵＳＢメモリやＳＤカード等のリムーバブルな記録媒体としても良い。
【００３２】
ここで、本実施の形態に係る頭部画像取得方法について説明する。
【００３３】
本頭部画像取得方法は、ヘアドライヤ１に備わるカメラユニット３により実施される。より詳細には、カメラユニット３で頭部を撮像し、撮像された頭部画像を記録することで本頭部画像取得方法が実現される。頭部画像の記録は、情報記録媒体１８に記録される。これにより、容易に、頭部画像を取得できる。
【００３４】
また、本頭部画像取得方法は、撮像した画像情報を外部機器に送信する工程を含んでもよい。この工程を含むことにより、ヘアドライヤ１以外の外部機器の機能が利用可能となるため、利便性を向上させることができる。
【００３５】
なお、本実施の形態では、画像処理や、動画撮影、リアルタイム画像表示等の利便性を考慮しているため、カメラユニット３の機器としてデジタルカメラを想定して説明したが、カメラユニット３はフィルムを用いたカメラでもよい。
【００３６】
また、断熱材を介してカメラ３ａを筐体３０に設置することで、カメラ３ａへの熱の影響を軽減できる。
【００３７】
なお、カメラユニット３を着脱可能としても良い。この場合、カメラユニット３には、筐体３０から着脱可能となるような取り付け手段が設けられる。カメラユニット３を着脱可能とすることで、利便性が向上する。また、既に使用者が一般的なヘアドライヤを所持する場合は、後付け可能なカメラユニット３のみを導入すればよくなるため、環境にやさしい製品を実現できる。カメラユニット３を着脱可能とする場合、照明ユニット４も着脱可能として更に、利便性を向上させてもよい。また、情報処理ユニット１９、ヘアドライヤ側無線ユニット２０、ヘアドライヤ側アンテナ２３も、ヘアドライヤ１の筐体３０から着脱可能としても良い。
【００３８】
（実施の形態２）
図４は、実施の形態２のヘアドライヤ３１の斜視図である。
【００３９】
図４において、ヘアドライヤ３１は、空気吐出口２、カメラユニット３、照明ユニット４、ドライヤスイッチ５、カメラスイッチ６、空気吸入口１１、および筐体３０を備えている。
【００４０】
図５は実施の形態２におけるヘアドライヤ３１の断面図と、ヘアドライヤ３１と使用者８とのヘアドライヤ使用時における位置関係を示した図である。
【００４１】
ドライヤスイッチ５がＯＮになると、送風ユニット１０の動作により、空気吸入口１１より吸入された空気は筐体３０内の空気流路１４を通じて、ヒータ７により加熱される。その後、加熱され空気は、空気吐出口２より吐出され、空気の流れ１３に示すような経路で、使用者８の頭部注目部位９へ向かって吹き付けられる。筐体３０の内部には、カメラユニット保護部材１７に把持されたカメラユニット３が、空気流路１４を通る空気の流れを妨げないように構造材１６によって空気流路１４の中央部に取り付けられている。カメラ３ａの光軸は撮影方向１２に向けられており、頭部注目部位９を撮影するように設置されている。
【００４２】
このように、筐体３０の内部であって空気流路１４中にカメラ３ａを配置することで、カメラ３ａの光軸と空気吐出口２からの空気の吐出方向とを一致させることができる。これにより、ヘアドライヤ３１の使用時において、空気吐出口２と頭部注目部位９の距離が多少変化しても、カメラ３ａの撮像位置と空気吐出口２からの空気の吐出位置とを一致させることが可能となる。空気吐出口２からの風があたる位置（空気の吐出位置）においては、その風により毛髪が適度に掻き分けられて生え際や頭皮が露出する。このため、ヘアドライヤ３１を用いることで、頭髪のみならず、生え際や頭皮を容易に撮影できる。また、当該配置により、動画撮影時においても、カメラ３ａの撮像位置と空気吐出口２からの空気の吐出位置とを一致させやすく、生え際や頭皮を容易に撮影できる。
【００４３】
ここで、照明光源４ａ、偏光フィルタ４ｂ、集光レンズ４ｃを有する照明ユニット４は、空気吐出口２の縁部に取り付けられている。照明ユニット４から発せられる光は照明光照射方向１５の方向を照明するように設置されており、特に頭部注目部位９を良好に照明するように調整されている。
【００４４】
また、撮影方向１２と照明光照射方向１５と空気の流れ１３の方向が全て頭部注目部位９へ向けられるように構成することで、頭部情報として、頭髪のみならず生え際や頭皮をより鮮明に撮影することができる。
【００４５】
また、ヒータ７の設置位置に対して、空気流路１４の上流側にカメラユニット３を配置するのが望ましい。ヒータ７の熱は専らカメラユニット３を通過した後の空気の加熱に作用するため、カメラユニット３への熱の影響を軽減できるからである。また、カメラユニット保護部材１７に断熱材を採用し、この断熱材でカメラ３ａを覆うことで、カメラ３ａへの熱の影響をより軽減できる。
【００４６】
なお、偏光フィルタ３ｂ、４ｂの構成や、カメラユニット３で撮像された画像情報の処理や保存の方法については、実施の形態１と同じである。
【００４７】
なお、図６及び図７に示す変形例であるヘアドライヤ３２のように、空気吐出口２の縁部に環状に設けた照明ユニット４を採用してもよい。照明ユニット４を空気吐出口２の周囲に環状に配置することで、撮像位置である頭部注目部位９を様々な方向から均等に照明することができる。それゆえ、この構成には、照明の不均一性を原因とする不要な影やグラデーションが生じにくいという利点がある。なお、偏光フィルタ３ｂ、４ｂの構成や、カメラユニット３で撮像された画像情報の処理や保存方法等については、実施の形態１と同じである。また、図６及び図７に示すような環状の照明ユニット４を実施の形態１に適用しても良い。
【００４８】
なお、ヘアドライヤ３１を用いて実施の形態１で説明した頭部画像取得方法を実現してもよい。また。ヘアドライヤ３２を用いて実施の形態１にかかる頭部画像取得方法を実現してもよい。
【００４９】
なお、本開示の趣旨を逸脱しない範囲で、複数の実施形態における各構成要素を任意に組み合わせても良い。
【産業上の利用可能性】
【００５０】
本ヘアドライヤは、日常生活の中で様々な場面に適用できる。
【符号の説明】
【００５１】
１、３１、３２  ヘアドライヤ
２        空気吐出口
３        カメラユニット
３ａ      カメラ
３ｂ      偏光フィルタ
４        照明ユニット
４ａ      照明光源
４ｂ      偏光フィルタ
４ｃ      集光レンズ
５        ドライヤスイッチ
６        カメラスイッチ
７        ヒータ
８        使用者
９        頭部注目部位
１０      送風ユニット
１１      空気吸入口
１２      撮影方向
１３      空気の流れ
１４      空気流路
１５      照明光照射方向
１６      構造材
１７      カメラユニット保護部材
１８      情報記録媒体
１９      情報処理ユニット
２０      ヘアドライヤ側無線ユニット
２１      外部情報機器側無線ユニット
２２      外部情報機器
２３      ヘアドライヤ側アンテナ
２４      外部情報機器側アンテナ
２５      無線通信
３０      筐体
【図１】
2015167704.tif 000003
【図２】
2015167704.tif 000004
【図３】
2015167704.tif 000005
【図４】
2015167704.tif 000006
【図５】
2015167704.tif 000007
【図６】
2015167704.tif 000008
【図７】
2015167704.tif 000009
【図８】
2015167704.tif 000010
【図９】
2015167704.tif 000011